(57)【特許請求の範囲】
【請求項１】
フレームと、
上記フレームに対して振動吸収部材を介して支持され、ディスクに対する情報信号の書き込み及び／又は読み出しを行う記録及び／又は再生部が配設されたメカシャーシと、
挿入操作されたディスクを保持するとともに、上記メカシャーシに対して移動可能に支持されたディスクホルダと、
上記メカシャーシに移動可能に支持され、一端側を上記ディスクホルダに係合させたチャッキングアームと、
上記メカシャーシ及び上記チャッキングアームに係合されて配設され、上記チャッキングアームが上記メカシャーシに対する移動可能範囲のほぼ中間位置よりも上記ディスクホルダを上記メカシャーシに接近させる側にあるときには、上記チャッキングアームを上記ディスクホルダが上記メカシャーシに接近する方向に付勢し、上記チャッキングアームが該メカシャーシに対する移動可能範囲のほぼ中間位置よりも上記ディスクホルダを上記メカシャーシより離間させる側にあるときには、上記チャッキングアームを上記ディスクホルダが上記メカシャーシより離間する方向に付勢する付勢手段とを備え、
上記チャッキングアームは、上記ディスクホルダを上記メカシャーシ側に移動させたときには、上記付勢手段の付勢力により、上記ディスクホルダが保持しているディスクを上記記録及び／又は再生部に装着させ、上記ディスクホルダを上記メカシャーシより離間する方向に移動させたときには、上記付勢手段の付勢力により、このディスクホルダが保持しているディスクを上記記録及び／又は再生部より離脱させる記録及び／又は再生装置。
【発明の詳細な説明】
【技術分野】
【０００１】
本発明は、記録ディスクに対し情報信号の記録及び／又は再生を行う記録及び／又は再生装置に関する。
【背景技術】
【０００２】
従来、光ディスクや光磁気ディスクの如き記録ディスクを記録媒体に用いる記録及び／又は再生装置が用いられている。この種の記録及び／又は再生装置は、記録ディスクを記録及び／又は再生部にローディングするためのディスクローディング機構を備えたものがある。
【０００３】
この種のディスクローディング機構は、前方側より挿入操作された記録ディスクを保持するディスクホルダを備えている。このディスクホルダは、記録ディスクがディスクカートリッジに収納されている場合には、ディスクカートリッジを保持するカートリッジホルダとして構成される。すなわち、カートリッジホルダは、カートリッジにほぼ対応した大きさを有し、少なくとも下面部及び前面部が開放された筐体状に形成されている。このカートリッジホルダは、開放された前面部がディスクカートリッジの挿脱口され、開放さらた下面部側がディスクカートリッジを記録及び／又は再生装置の光学ピックアップ装置等を有する記録及び／又は再生部に臨ませる側とされている。
【０００４】
ディスクローディング機構は、カートリッジホルダを記録及び／又は再生装置内における水平方向及び上下方向に移動操作するように構成されている。すなわち、ディスクローディング機構においては、カートリッジホルダは、上昇され前方側となされた位置において、ディスクカートリッジの挿入及び取り出し操作が行われる。そして、カートリッジホルダは、ディスクカートリッジを挿入操作されると、高さ位置を維持しつつ、後方側に移動操作され、記録及び／又は再生部の上方位置に至る。次に、カートリッジホルダは、下降操作されて、保持しているディスクカートリッジを記録及び／又は再生部に装着させる。
【０００５】
すなわち、このディスクローディング機構においては、カートリッジホルダは、両側の側壁部に設けられたガイド溝により支持されるとともに、ガイド溝に沿って移動操作される。このガイド溝は、水平部分と、この水平部分の後端部より下方側に屈曲された垂直部とを有して、Ｌ字形状に形成されている。
【０００６】
このような記録及び／又は再生装置において、車載用や携帯用として構成されたものは、記録及び／又は再生部をフロート支持したものがある。このフロート支持とは、記録及び／又は再生部が配設されたメカシャーシを、筐体に固定して配設されたフレームに対して、振動吸収部材であるダンパ部材を介して支持したものである。このダンパ部材は、ブチルゴム等の弾性材料によりほぼ円筒状に形成されている。また、ダンパ部材は、弾性材料より袋状に形成し、内部に油脂の如き流体を封入して構成してもよい。
【０００７】
このようなフロート支持をなされた記録及び／又は再生部においては、筐体及びフレームに外方側より振動や衝撃が加えれたとき、ダンパ部材が変形して振動を吸収するため、振動や衝撃が記録及び／又は再生部に伝達されることがない。
【０００８】
なお、ディスクローディング機構による記録ディスクの装着及び排出が行われるときには、記録及び／又は再生部は、フレームに対する位置が変動されないように保持される。記録及び／又は再生部のフレームに対する位置が変動すると、装着又は排出される記録ディスクと外筐体との位置関係が変動し、この記録ディスクと筐体との衝突や摺接等が生じて、これら記録ディスク等が破損するおそれがあるからである。
【０００９】
上述のように、記録及び／又は再生部がフロート支持された記録及び／又は再生装置においては、記録ディスクの挿入及び排出操作を行うときに記録及び／又は再生部をフレームに対する位置が変動しないように保持する機構が複雑であり、装置構成の小型化、簡素化、組立製造の容易化を図ることができない。すなわち、記録及び／又は再生部をフレームに対する所定位置に保持する機構は、ディスクローディング機構に連動されて移動操作される複数のリンクやレバーを有して構成されている。
【発明の開示】
【発明が解決しようとする課題】
【００１０】
そこで、本発明は、上述の実情に鑑みて提案されるものであって、記録及び／又は再生部がいわゆるフロート支持された記録及び／又は再生装置であって、構成の小型化、簡素化が図られ、組立製造が容易化されながら、記録ディスクの装着及び排出時の該記録及び／又は再生部のフレームに対する移動の阻止を確実に行うことができる記録及び／又は再生装置を提供することを目的とする。
【課題を解決するための手段】
【００１１】
上述の課題を解決し上記目的を達成するため、本発明に係る記録及び／又は再生装置は、フレームと、上記フレームに対して振動吸収部材を介して支持され、ディスクに対する情報信号の書き込み及び／又は読み出しを行う記録及び／又は再生部が配設されたメカシャーシと、挿入操作されたディスクを保持するとともに、上記メカシャーシに対して移動可能に支持されたディスクホルダと、上記メカシャーシに移動可能に支持され、一端側を上記ディスクホルダに係合させたチャッキングアームと、上記メカシャーシ及び上記チャッキングアームに係合されて配設され、上記チャッキングアームが上記メカシャーシに対する移動可能範囲のほぼ中間位置よりも上記ディスクホルダを上記メカシャーシに接近させる側にあるときには、上記チャッキングアームを上記ディスクホルダが上記メカシャーシに接近する方向に付勢し、上記チャッキングアームが該メカシャーシに対する移動可能範囲のほぼ中間位置よりも上記ディスクホルダを上記メカシャーシより離間させる側にあるときには、上記チャッキングアームを上記ディスクホルダが上記メカシャーシより離間する方向に付勢する付勢手段とを備え、上記チャッキングアームは、上記ディスクホルダを上記メカシャーシ側に移動させたときには、上記付勢手段の付勢力により、上記ディスクホルダが保持しているディスクを上記記録及び／又は再生部に装着させ、上記ディスクホルダを上記メカシャーシより離間する方向に移動させたときには、上記付勢手段の付勢力により、このディスクホルダが保持しているディスクを上記記録及び／又は再生部より離脱させる。
【発明の効果】
【００１２】
本発明は、記録及び／又は再生部がフロート支持された記録及び／又は再生装置において、ディスクを保持して記録及び／又は再生部が装脱するディスクホルダがメカシャーシに対して近接した位置、又はメカシャーシより離間した位置のいずれかに付勢手段の付勢力によって位置決めされるので、確実にディスクの装脱を行うことができる。
【発明を実施するための最良の形態】
【００１３】
以下、本発明を光磁気ディスク又は光ディスクを記録媒体に用いる記録及び／又は再生装置に適用した例を挙げて説明する。
【００１４】
以下、本発明を以下の順序で説明する。
［１］ディスクカートリッジの構成
［２］記録及び／又は再生装置の構成
（２−１）メインフレーム及びメカシャーシの構成
（２−２）カートリッジホルダの構成
（２−３）移動操作機構の構成
［３］記録及び／又は再生装置の動作
（３−１）初期状態
（３−２）ディスクカートリッジの挿入操作
（３−３）ディスクカートリッジの搬入動作
（３−４）ディスクカートリッジのチャッキング動作
（３−５）ディスクカートリッジのチャッキング解除動作
（３−６）ディスクカートリッジの排出動作
【００１５】
［１］ディスクカートリッジの構成
本発明に係る記録及び／又は再生装置の記録媒体として用いられる光磁気ディスクは、直径を６４ｍｍ程度とするポリカーボネイトの如き透明合成樹脂材料よりなるディスク基板に、磁性材料からなる信号記録層が被着形成されて構成されている。この信号記録層は、集光されたレーザビームの照射手段により局所的にいわゆるキュリー温度以上に加熱され、この加熱された部分に外部磁界が印加されることにより、情報信号の書き込みが行われる。このように書き込まれた情報信号は、信号記録層にレーザビームの如き光ビームを照射し、この光ビームの反射光を検出することにより読み出される。
【００１６】
また、光ディスクは、光磁気ディスクのディスク基板と同様のディスク基板に、アルミニウムの如き金属材料よりなる反射層が被着形成されてている。この光ディスクのディスク基板には、射出成形等の手段により、情報信号に対応した微細なピット列が形成されている。この光ディスクに書き込まれている情報信号は、ピット列にレーザビームの如き光ビームを照射し、この光ビームの反射光を検出することにより読み出される。
【００１７】
そして、光磁気ディスク及び光ディスクは、図１及至図４に示すように、カートリッジ２０５，２１６に回転可能に収納されて、ディスクカートリッジを構成している。光磁気ディスクを収納した記録再生型のディスクカートリッジ２２０を構成するカートリッジ２０５は、一辺の長さが光磁気ディスクの直径にほぼ対応した矩形状の主面部を有する薄い筐体状に構成されている。このカートリッジ２０５は、図１に示すように、上面側に、光磁気ディスクの信号記録面の一部を外方に臨ませるための磁気ヘッド用開口部２２３が設けられている。このカートリッジ２０５は、図３に示すように、下面側の磁気ヘッド用開口部２２３に対向する位置に光学ピックアップ用開口部２２２が設けられている。また、下面側のほぼ中央部分にチャッキング用開口部２１３が設けられている。この記録及び再生型のディスクカートリッジ２２０は、記録及び／又は再生装置に対して、図１及び図３中矢印Ｃ方向に挿入されて装着される。
【００１８】
記録再生型のディスクカートリッジ２２０に設けられた磁気ヘッド用開口部２２３及び光学ピックアップ用開口部２２２は、シャッタ部材２０６によって開閉可能とされている。シャッタ部材２０６は、これら開口部２２３，２２２に対応した互いに平行に相対向されたシャッタ部と、これらシャッタ部の一端側を連結する連結部とを有し、合成樹脂材料又はは金属材料により一体的に構成されている。このシャッタ部材２０６は、連結部を、カートリッジ２０５の一側部に形成された支持溝部２０７に、図１及び図３中矢印Ｚ方向に摺動可能に支持されている。すなわち、シャッタ部材２０６は、カートリッジ２０５の一側部に沿って後方にスライドされることにより各開口部２２３，２２２を開放し、後方側より前方にスライドされて初期位置に復帰されると各シャッタ部により各開口部２２３，２２２を閉塞する。
【００１９】
そして、光ディスクを収納して再生専用型のディスクカートリッジ２２１を構成するカートリッジ２１６は、一辺の長さが光ディスクの直径にほぼ対応した矩形状の主面部を有する薄い筐体状に構成されている。このカートリッジ２１６は、図２に示すように、上面側の主面部には開口部が設けられていない。このカートリッジ２１６は、図４に示すように、下面側に光学ピックアップ用開口部２２２が設けられ、この下面側のほぼ中央部分にチャッキング用開口部２１３が設けられている。この再生専用型のディスクカートリッジ２２１は、記録及び／又は再生装置に対して、図２及び図４中矢印Ｃ方向に挿入されて装着される。
【００２０】
再生専用型のディスクカートリッジ２２１に設けられた光学ピックアップ用開口部２２２は、シャッタ部材２１７によって開閉される。このシャッタ部材２１７は、光学ピックアップ用開口部２２２に対応したシャッタ部と、このシャッタ部の一端側に設けられた支持部とを有し、合成樹脂材料又は金属材料により、一体的に構成されている。このシャッタ部材２１７は、支持部を、カートリッジ２１６の一側部に形成された支持溝部２０７に、図２及び図４中矢印Ｚ方向に摺動可能に支持されている。すなわち、シャッタ部材２１７は、カートリッジ２１６の一側部に沿って後方にスライドされることにより光学ピックアップ用開口部２２２を開放し、後方側より前方にスライドされて初期位置に復帰されるとシャッタ部により光学ピックアップ用開口部２２２を閉塞する。
【００２１】
各シャッタ部材２０６，２１７には、連結部又は支持部のほぼ中央位置に、側方側に向けて、シャッタ閉蓋孔２０８が開設されている。このシャッタ閉蓋孔２０８は、記録及び／又は再生装置において各シャッタ部材２０６，２１７を閉蓋操作するための部材が係合するためのものである。
【００２２】
光磁気ディスク及び光ディスクの中心部には、円形のチャッキング孔２０４が開設されている。このチャッキング孔２０４は、上面側より、チャッキングプレート２０２により閉塞されている。このチャッキングプレート２０２は、鉄やステンレスの如き、磁性を有する金属材料により、チャッキング孔２０４にほぼ対応した直径の円盤状に形成されている。これらチャッキング孔２０４及びチャッキングプレート２０２は、チャッキング用開口部２１３を介して、各カートリッジ２０５，２１６の外方に臨んでいる。
【００２３】
そして、各カートリッジ２０５，２１６の下面には、対をなす前方側及び後方側位置決め穴２０９，２１０が形成されている。前方側位置決め穴２０９は、光学ピックアップ用開口部２２２の前方側の縁部近傍に位置し、長径方向が前後方向となされた長円形に形成されている。また、後方側位置決め穴２１０は、光学ピックアップ用開口部２２２の後方側の縁部近傍に位置して円形に形成されている。
【００２４】
また、各カートリッジ２０５，２１６の下面の後方側の他側縁近傍には、複数の識別用穴２２４が形成されている。これら識別用穴２２４は、これらカートリッジ２０５，２１６が収納しているディスクの種別や状態、例えば情報信号の記録が可能か否かを識別するためのものである。記録再生型のディスクカートリッジ２２０のカートリッジ２０５内には、識別用穴２２４に対応して、後側面部にセーブノッチ２１４が設けられている。このセーブノッチ２１４は、移動操作されることにより、識別用穴２２４のうちの一の内部に進退し、この識別用穴２２４の深さを変えて、情報信号の記録可否の識別状態を切り換える。
【００２５】
さらに、各カートリッジ２０５，２１６の下面の前方側の両側縁部には、一対の被係合凹部２１２，２１２が形成されている。また、カートリッジ２０５，２１６の他側には、支持溝部２０７に対向するようにして、挿入ガイド溝２２５が形成されている。
【００２６】
記録再生型のディスクカートリッジ２２０のカートリッジ２０５には、下面の前方側縁部に、光磁気ディスク識別凹部２１１が形成されている。また、再生専用型のディスクカートリッジ２２１のカートリッジ２１６には、下面の前方側縁部に、光ディスクディスク識別凹部２１８が形成されている。これら光磁気ディスク識別凹部２１１と光ディスク識別凹部２１８とは、互いに下面よりの深さが異なっており、この深さの違いにより、収納されているディスクが光磁気ディスクか光ディスクかが識別される。
【００２７】
［２］記録及び／又は再生装置の構成の他の例
上述したようなディスクカートリッジ２２０，２２１を記録媒体に用いる本発明に係る記録及び／又は再生装置を図面を参照して説明する。
【００２８】
（２−１）メインフレーム及びメカシャーシの構成
本発明に係る記録及び／又は再生装置は、図５及び図６に示すように、フレームを構成するメインフレーム２を備えている。このメインフレーム２は、金属板の如き材料により、底板部及びこの底板部の両側より立ち上がるように折り曲げられて形成され左右一対の側壁部３７，３８とを有している。
【００２９】
メインフレーム２には、各側壁部３７，３８の上縁部間に渡されて、このメインフレーム２とともにフレームを構成する天板３が取り付けられている。この天板３は、平板状に形成され、各コーナ部にネジ孔１２３，１２３，１２３，１２３が形成されている。天板３は、各ネジ孔１２３，１２３，１２３，１２３に挿通された止めネジ１２２，１２２，１２２，１２２が各側壁部３７，３８の上縁部に設けられたネジ止め片３９，４０，４１，４２のネジ孔に螺合されることにより、メインフレーム２に取り付けられる。各ネジ止め用片３９，４０，４１，４２は、各側壁部３７，３８の上縁部に設けられた突片が互いに対向する内側にほぼ水平となるように折り曲げて形成されている。
【００３０】
天板部には、後述するカートリッジホルダ４が係合するための係合部である係合切り欠き部３０１が設けられている。また、天板部３には、後述するスライダ７４が係合するための係合ピン３０２が、メインシャーシ２側に向けて垂下するように突設されている。
【００３１】
そして、メインフレーム２の各側壁部３７，３８間には、メカシャーシ１が配設されている。このメカシャーシ１は、ほぼ平板状に形成され、左側縁部に、側方に向かって突設された前後一対の支軸１５，１６を有し、右側縁部のほぼ中央に側方に向かって突設された前後一対の支軸１７，１７を有している。これら支軸１５，１６，１７，１７には、振動吸収部材であるダンパ部材１８，１９、２０，２０が嵌装されている。これらダンパ部材１８，１９，２０，２０は、ブチルゴムの如き可撓性を有する材料により、ほぼ円筒状に形成されている。これらダンパ部材１８，１９，２０，２０は、側壁部３７，３８に形成された切り欠き部３４，３５，３６，３６に対応して嵌合されている。これら切り欠き部３４，３５，３６，３６は、上方側に開放されており、天板３の両側縁部より垂下された舌片部１２５，１２５，１２５，１２５により、それぞれ上方側が閉塞されている。すなわち、各ダンパ部材１８，１９，２０，２０は、各切り欠き部３４，３５，３６，３６の内縁部及び各舌片部１２５，１２５，１２５，１２５の下端部によって、外周面部を保持されている。
【００３２】
メカシャーシ１は、各ダンパ部材１８，１９，２０，２０を介して、メインフレーム２に対し、いわゆるフローティング支持されている。メカシャーシ１は、フローティング支持されることにより、メインフレーム２に外方より加えられる振動や衝撃が伝達されないようにされている。
【００３３】
メカシャーシ１上には、光磁気ディスク又は光ディスクよりの情報信号の読み出しを行う再生部が配設されている。この再生部は、ディスクテーブル１２及び光学ピックアップ装置１３を備えている。
【００３４】
ディスクテーブル１２は、メカシャーシ１の下面部に取り付けられたスピンドルモータの該メカシャーシ１の上面側に突出された駆動軸に取り付けられている。このディスクテーブル１２は、ほぼ円盤状に形成されており、チャッキング用開口部２１３を介して各カートリッジ２０５，２１６内に進入して、各ディスクのチャッキング孔２０４に嵌入し得るようになされている。このディスクテーブル１２は、チャッキング孔２０４に嵌入されると、ディスクを位置決めして保持するようになされている。
【００３５】
光学ピックアップ装置１３は、半導体レーザの如き光源、この光源の発する光ビームを導いてディスク上に集光させるための光学デバイス、及びディスクから反射される反射光ビームを検出するための光検出器等を有し、ディスクテーブル１２に保持されたディスクよりの情報信号の読み出しを行う。この光学ピックアップ装置１３は、メカシャーシ１上を、ディスクテーブル１２に対し接離方向に移動操作される。
【００３６】
また、メカシャーシ１上には、一対の位置決めピン８，９及び一対の高さ決め突起１０，１１が突設されている。各位置決めピン８，９は、上端側がテーパ状に縮径されたピンであって、カートリッジ２０５，２１６の前方側及び後方側位置決め穴２０９，２１０に対応して嵌入して、該カートリッジ２０５，２１６のメカシャーシ１に対する位置決めを行う。各高さ決め突起１０，１１は、カートリッジ２０５，２１６の下面部に先端部を当接させて、該カートリッジ２０５，２１６のメカシャーシ１に対する高さ位置を決定する。
【００３７】
この再生部には、カートリッジ２０５，２１６が各位置決めピン８，９及び各高さ決め突起１０，１１により位置決めされ、光磁気ディスク又は光ディスクがディスクテーブル１２に保持され、カートリッジ２０５，２１６内において回転操作される。そして、光学ピックアップ装置１３は、カートリッジ２０５，２１６内で回転操作されるディスクに記録された情報信号の読み出しを行う。
【００３８】
（２−２）カートリッジホルダの構成
メカシャーシ１の上方側には、ディスクホルダであるカートリッジホルダ４が配設されている。このカートリッジホルダ４は、カートリッジ２０５，２１６の主面部の大きさにほぼ対応したほぼ平板状に形成され、メカシャーシ１に対して、チャッキングアームであるチャッキングアーム７を介して支持されている。このチャッキングアーム７は、金属板の如き材料により、一対の平行なアーム部５８，５９と、これらアーム部５８，５９の後端部間を連結させこのチャッキングアーム７の他端側の後板部６０とを有し、ほぼコ字状に一体的に形成されている。各アーム部５８，５９は、それぞれほぼ中途部を、メカシャーシ１の両側の後方部に側方に向けて突設された一対の回動支軸２４，２５を介して回動可能に支持されている。これらアーム部５８，５９の一端側である前端側には、支持凹部５４，５５が形成されている。これら支持凹部５４，５５には、カートリッジホルダ４の両側のほぼ中央に側方に向けて突設された支持突起９８，９９が嵌合されている。すなわち、チャッキングアーム７は、各支軸２４，２５を中心に回動されることにより、カートリッジホルダ４を、メカシャーシ１に対して接離する上下方向に移動操作する。
【００３９】
この記録及び／又は再生装置においては、チャッキングアーム７がカートリッジホルダ４をメカシャーシ１より離間する方向の図１０中矢印Ｐ方向に移動させたときには、図１０に示すように、カートリッジホルダ４が天板３に当接し、また、チャッキングアーム７の後板部６０下縁の当接部１５１がメインフレーム２の底面部の後縁側に設けられた当接支持部４３に当接する。このとき、メカシャーシ１は、メインフレーム２に対する接離方向、すなわち、上下方向に各ダンパ部材１８，１９，２０が変形することによりメインフレーム２に対する移動を阻止している。
【００４０】
そして、本発明に係る記録及び／又は再生装置は、チャッキングアーム７がカートリッジホルダ４をメカシャーシ１に接近する図１１中矢印Ｓ方向に移動したときには、図１１に示すように、カートリッジホルダ４が天板３より離間し、また、チャッキングアーム７の当接部１５１が当接支持部４３より離間する。このとき、メカシャーシ１は、各ダンパ部材１８，１９，２０が変形することによるメインフレーム２に対する接離方向への移動が可能となる。
【００４１】
カートリッジホルダ４は、両側部分が、下方側に鈎状に屈曲形成されて、カートリッジ保持部８９，９０とされている。このカートリッジ保持部８９，９０は、図５中矢印Ｃ方向の前方側よりディスクカートリッジ２２０，２２１がこれらカートリッジ保持部８９，９０間に挿入されると、このディスクカートリッジ２２０，２２１の両側部分を保持する。このとき、ディスクカートリッジ２２０，２２１は、カートリッジホルダ４に対して、前後方向に移動可能に保持されている。
【００４２】
カートリッジホルダ４は、このカートリッジホルダ４の天板部とディスクカートリッジ２２０，２２１の主面とが重なる位置まで挿入され、チャッキングアーム７によりメカシャーシ１側に移動操作されると、このディスクカートリッジ２２０，２２１をメカシャーシ１上の再生部に装着する。このカートリッジホルダ４は、天板部の各コーナ部に、下方側に突出された押さえ突起９４，９５，９６，９７が設けられている。カートリッジホルダ４は、各押さえ突起９４，９５，９６，９７をカートリッジ２０５，２１６の各コーナ部に当接させて、ディスクカートリッジ２２０，２２１をメカシャーシ１側に支持する。
【００４３】
また、カートリッジホルダ４には、ディスクカートリッジ２２０，２２１のシャッタ部材２０６，２１７の開閉を行う機構が設けられている。すなわち、カートリッジ保持部９０内には、シャッタ開蓋爪１０５が内方側に向けて突設されている。このシャッタ開蓋爪１０５は、このカートリッジホルダ４に対してディスクカートリッジ２２０，２２１が挿入操作されると、支持溝部２０７内にカートリッジ２０５，２１６の前端側より進入し、シャッタ部材２０６，２１７の前端部に当接して、このシャッタ部材２０６，２１７のカートリッジホルダ４に対する移動を停止させることにより、ディスクカートリッジ２２０，２２１の挿入に伴ってシャッタ部材２０６，２１７を開蓋させる。
【００４４】
そして、カートリッジホルダ４の外側面部には、シャッタ閉蓋バネ１００が、止めビス１０４，１０４により、取り付けられている。このシャッタ閉蓋バネ１００は、一端側がカートリッジホルダ４の内側側に湾曲された係合部１０２となっている。この係合部１０２は、カートリッジホルダ４の側部に設けられた開口部１０３を介して、カートリッジホルダ４内に進入している。この係合部１０２は、このカートリッジホルダ４に対してディスクカートリッジ２２０，２２１が挿入操作されると、シャッタ部材２０６，２１７のシャッタ閉蓋孔２０８に係合する。この係合部１０２は、ディスクカートリッジ２２０，２２１がカートリッジホルダ４の前方側に排出されるとき、シャッタ部材２０６，２１７のカートリッジホルダ４に対する移動を停止させることにより、ディスクカートリッジ２２０，２２１の排出に伴って該シャッタ部材２０６，２１７を閉蓋させる。
【００４５】
そして、カートリッジホルダ４の下面部には、カートリッジ移動板５が前後方向に移動可能に取り付けられている。すなわち、このカートリッジ移動板５は、カートリッジホルダ４の幅とほぼ同様の幅の横長のほぼ平板状に形成されており、上面部に係合棒１０８，１０９，１１０を有している。このカートリッジ移動板５は、各係合棒１０８，１０９，１１０をカートリッジホルダ４に形成された一対の係合スリット９１，９２に対応させて挿通係合させて、このカートリッジホルダ４に対して前後方向に移動可能に支持されている。一対の係合スリット９１，９２は、互いに平行に前後方向に亘って形成されており、一方の係合スリット９１に１本の係合棒１０８が挿通係合され、他方の係合スリット９２に２本の係合ピン１０９，１１０が挿通係合される。このカートリッジ移動板５は、カートリッジホルダ４にディスクカートリッジ２２０，２２１が挿入操作されるとき、カートリッジホルダ４の天板部とディスクカートリッジ２２０，２２１との間に位置することとなる。
【００４６】
カートリッジ移動板５の後縁部は、下方側に折り曲げられて後壁部１３９を形成するとともに、さらに後方側に鈎状に折り曲げられて被係合溝部１１１を形成している。後壁部１３９は、カートリッジホルダ４にディスクカートリッジ２２０，２２１が挿入操作されたとき、このディスクカートリッジ２２０，２２１の前端部が当接されて、このディスクカートリッジ２２０，２２１の位置決めを行うものである。被係合溝部１１１は、後述するローディングアーム８３の係合部８７が接離可能に挿入係合する部分である。
【００４７】
そして、カートリッジ移動板５とカートリッジホルダ４とに係合して、トグルバネ１０７が設けられている。すなわち、このトグルバネ１０７は、一方のアーム部をカートリッジホルダ４の上面部に係合スリット９２のほぼ中央部の近傍に位置して突設されたバネ係止片９３に係止され、他方のアーム部をカートリッジ移動板５の上面部に突設されて係合スリット９２を介して上方側に突出されたバネ係止片１４４に係止されている。このトグルバネ１０７は、各バネ係止片９３，１４４間を離間させる方向の弾性力を有している。したがって、トグルバネ１０７は、カートリッジ移動板５が、各バネ係止片９３，１４４間が最も接近することとなるカートリッジホルダ４のほぼ中央位置よりも前方側に位置しているときには、カートリッジ移動板５を、図５及び図６中矢印Ａ方向の前方方向に移動付勢する。このトグルバネ１０７は、カートリッジ移動板５が、カートリッジホルダ４のほぼ中央位置よりも後方側に位置しているときには、カートリッジ移動板５を後方方向ぼ図５及び図８中矢印Ｂ方向に移動付勢する。
【００４８】
カートリッジ移動板５の下面側には、図５及び図１２に示すように、このカートリッジ移動板５に対して回動可能となされたホールド板６が取り付けられている。このホールド板６は、カートリッジ移動板５とほぼ同様の大きさを有するほぼ平板状に形成されており、後縁側部分を１１８，１２１を介してカートリッジ移動板の後縁側部分に対して回動可能に支持されている。このホールド板６は、初期状態においてカートリッジ移動板５に対してディスクカートリッジ２２０，２２１の厚みに対応する距離を隔てており、図１３及び図１４に示すように、カートリッジホルダ４にディスクカートリッジ２２０，２２１が挿入操作されたとき、このディスクカートリッジ２２０，２２１の下方側に位置するようになされている。このホールド板６は、カートリッジ移動板５より離間する下方方向に回動可能であるとともに、捻りコイルバネ１１５により、カートリッジ移動板５に接近する方向の図１２中矢印Ｄ方向に回動付勢されて初期位置に位置決めされる。
【００４９】
ホールド板６は、両端側部分の上面部に、一対の保持突起１１７，１１７が形成されている。これら保持突起１１７，１１７は、ホールド板６と上にディスクカートリッジ２２０，２２１が挿入操作されると、図１４に示すように、カートリッジ２０５，２１６の下側主面部に形成された一対の被係合凹部２１２，２１２に係合する。ホールド板６は、このように、各保持突起１１７，１１７を各被係合凹部２１２，２１２に係合させたときには、ほぼ初期位置に復帰しており、ディスクカートリッジ２２０，２２１を保持している。
【００５０】
カートリッジ移動板５及びホールド板６は、カートリッジホルダ４の前方側に位置している状態で、ディスクカートリッジ２２０，２２１を保持し、このカートリッジホルダ４の後方側に移動されることにより、保持しているディスクカートリッジ２２０，２２１を該カートリッジホルダ４内に、すなわち、メカシャーシ１上となる位置に搬入する。また、カートリッジ移動板５及びホールド板６は、カートリッジホルダ４の後方側でディスクカートリッジ２２０，２２１を保持しているときに、このカートリッジホルダ４の前方側に移動されることにより、ディスクカートリッジ２２０，２２１をカートリッジホルダ４より排出する。
【００５１】
そして、カートリッジホルダ４は、チャッキングアーム７によりメカシャーシ１より離間する方向に移動され保持しているディスクカートリッジ２２０，２２１を再生部より離脱させたときには、天板３に係合する。すなわち、カートリッジ移動板５をカートリッジホルダ４に係合させるための係合棒１０８は、カートリッジホルダ４の上方側に突出され、上端部分がフランジ状に拡径されている。そして、この係合棒１０８は、カートリッジホルダ４が上方側に移動されて天板部３に当接されているときに、カートリッジ移動板５がカートリッジホルダ４の前方側に移動操作されると、図６に示すように、天板３に設けられた係合切り欠き部３０１に嵌入係合する。この係合切り欠き部３０１は、カートリッジ移動板５の移動に伴うトグルバネ１０７の移動範囲に対応して天板３に形成された透孔１２４の前方側の内縁部に、後方側に向けて解放された切り欠き部として形成されている。
【００５２】
カートリッジホルダ４は、係合棒１０８を係合切り欠き部３０１に係合させてフレームに係合したときには、メカシャーシ１に対する接離方向について、フレームに対する移動を阻止される。すなわち、この係合棒１０８は、係合切り欠き部３０１に係合したとき、上端側の拡径部を天板３の上面側に位置させている。また、カートリッジホルダ４は、係合棒１０８を係合切り欠き部３０１に係合させてフレームに係合したときには、このカートリッジホルダ４に対するディスクカートリッジ２２０，２２１の挿入方向及びメカシャーシ１に対する接離方向に直交する方向、すなわち、左右方向について、該フレームに対する移動を阻止される。
【００５３】
ホールド板６には、支軸１１８より後方側に位置して、誤挿入阻止爪１１９が設けられている。この後挿入阻止爪１１９は、後端部の上縁側が鋭角の角部を有する当接部１４０となされている。この当接部１４０は、カートリッジ移動板５がカートリッジホルダ４の前方側に位置しているときに、このカートリッジホルダ４の天板部に形成された当接用透孔１０６に対応する位置となされている。この誤挿入阻止爪１１９は、ホールド板６が初期位置にあるときには、図１４中に矢印Ｗで示すように、カートリッジホルダ４の天板部に接触することなく、当接用透孔１０６の下方を通過する。
【００５４】
そして、誤挿入阻止爪１１９は、図１５に示すように、ホールド板６が、ディスクカートリッジ２２０，２２１のいわゆる誤挿入により、図１５中矢印Ｕ方向の下方側に回動されているときには、当接部１４０を当接用透孔１０６内に進入させる。このように当接部１４０が当接用透孔１０６内に進入しているときには、カートリッジ移動板５を後方側に移動させようとしても、当接部１４０が当接用透孔１０６の後縁部に当接するため、カートリッジ移動板５の後方側への移動が規制される。
【００５５】
なお、ディスクカートリッジ２２０，２２１の誤挿入とは、図１５に示すように、各被係合凹部２１２，２１２の設けられた下面を上方側に位置させて挿入してしまうことや、カートリッジ２０５，２１６の側面や後面を挿入端側として挿入してしまうことである。
【００５６】
そして、メカシャーシ１の両側部には、チャッキングアーム７の各アーム部５８，５９の前端部の前方側に位置して、一対のロックアーム４４，４４が回動可能に取り付けられている。すなわち、これらロックアーム４４，４４は、ほぼ中央部に支持孔４５，４５を有し、この支持孔４５，４５にメカシャーシ１の両側部より側方に向けて突設された一対の支軸２１，２２を挿通させている。これらロックアーム４４，４４は、後端側に係合孔４６，４６を有しており、この係合孔４６，４６をカートリッジホルダ４の支持突起９８，９９に係合させている。
【００５７】
このロックアーム４４は、前端側部分に、係合部となる係合溝部３０９が形成されている。この係合溝部３０９は、ロックアーム４４の側部に対して解放された切り欠きであって、ロックアーム４４の前端側がメカシャーシ１の前方側に向けられたときに、解放部分を下方に向けるように形成されている。
【００５８】
各ロックアーム４４，４４は、チャッキングアーム７がカートリッジホルダ４をメカシャーシ１側に移動させてこのカートリッジホルダ４が保持しているディスクカートリッジ２２０，２２１を再生部に装着させたときには、図１１に示すように、係合溝部３０９をフレームより離間させる。
【００５９】
そして、各ロックアーム４４，４４は、チャッキングアーム７がカートリッジホルダ４をメカシャーシ１より離間する方向に移動させてこのカートリッジホルダ４が保持しているディスクカートリッジ２２０，２２１を該再生部より離脱させたときには、図１０に示すように、係合溝部３０９をフレームに係合させる。すなわち、フレームを構成する各側壁部３７，３８には、各係合溝３０９，３０９が係合する被係合部となる左右一対の係合杆３１２，３１２が、互いに対向する内方側に向けて突設されている。
【００６０】
各係合杆３１２，３１２は、それぞれ、メインシャーシ２の外側となる基端側が、テーパ状に拡径されている。したがって、各ロックアーム４４は、係合溝部３０９を係合杆３１２に係合させたときには、カートリッジホルダ４に対するディスクカートリッジ２２０，２２１の挿入方向及びこのカートリッジホルダ４のメカシャーシ１に対する移動可能んｓ方向に直交する方向にメカシャーシ１がフレームに対し移動することを阻止する。
【００６１】
また、各ロックアーム４４，４４の後端部には、それぞれ位置決め突起３０８が突出形成されている。これら位置決め突起３０８，３０８は、チャッキングアーム７がカートリッジホルダ４をメカシャーシ１より離間する方向に移動させてこのカートリッジホルダ４が保持しているディスクカートリッジ２２０，２２１を該再生部より離脱させたときには、天板部３の両側側部分に形成された左右一対の係合孔３０３，３０４に対応して挿入係合され、メカシャーシ１のフレームに対する位置決めを行う。
【００６２】
そして、付勢手段となる左右一対のトグルバネ３１０，３１０が、一方のアーム部をメカシャーシ１の左右両側部に突設された係合片３０７，３０７に係合させ、他方のアーム部を各ロックアーム４４，４４の後端側に突設された係合片３１７，３１７に係合させて配設されている。
【００６３】
このトグルバネ３１０による付勢力は、ロックアーム４４を介して、チャッキングアーム７に伝達される。すなわち、これらトグルバネ３１０，３１０は、チャッキングアーム７がメカシャーシ１に対する移動可能範囲のほぼ中間位置よりもカートリッジホルダ４を該メカシャーシ１に接近させる側にあるときには、このチャッキングアーム７を、カートリッジホルダ４がメカシャーシ１に接近する方向に回動付勢する。
【００６４】
これらトグルバネ３１０，３１０は、チャッキングアーム７がメカシャーシ１に対する移動可能範囲のほぼ中間位置よりもカートリッジホルダ４をメカシャーシ１より離間させる側にあるときには、このチャッキングアーム７を、カートリッジホルダ４がメカシャーシ１より離間する方向に付勢する。したがって、チャッキングアーム７は、カートリッジホルダ４をメカシャーシ１側に移動させたときには、各トグルバネ３１０，３１０の付勢力により、このカートリッジホルダ４が保持しているディスクカートリッジ２２０，２２１を再生部に対し押圧支持して装着させる。また、チャッキングアーム７は、カートリッジホルダ４をメカシャーシ１より離間する方向に移動させたときには、各トグルバネ３１０，３１０の付勢力により、このカートリッジホルダ４が保持しているディスクカートリッジ２２０，２２１を再生部より離脱させるとともに、このカートリッジホルダ４を天板部３に対して押圧支持する。
【００６５】
カートリッジホルダ４は、チャッキングアーム７を介して、各トグルバネ３１０，３１０の付勢力により押圧されることで、メカシャーシ１に近接した位置及び天板部３に当接した位置のいずれにおいても、正確に位置決めされる。
【００６６】
（２−３）移動操作機構の構成
そして、メカシャーシ１の後方側部分には、ディスクカートリッジ２２０，２２１のメカシャーシ１上への搬送及びディスクカートリッジ２２０，２２１のメカシャーシ１上からの排出を行う、すなわち、カートリッジ移動板５を移動操作するための移動操作機構が配設されている。
【００６７】
この移動操作機構は、図５、図６及び図１６に示すように、メカシャーシ１の後方部に配設されたモータ６４を備えている。このモータ６４の駆動軸には、ウォームギヤ６５が取り付けられている。このウォームギヤ６５は、メカシャーシ１に植設された支軸３０により回転可能に支持されたウォームホイール６９に噛合している。このウォームホイール６９には、平ギヤである第１の伝達ギヤ７０が同軸状に一体的に形成されている。この第１の伝達ギヤ７０は、メカシャーシ１に植設された支軸２９により回転可能に支持された平ギヤである第２の伝達ギヤ７１に噛合している。
【００６８】
第２の伝達ギヤ７１を支持する支軸２９には、図１７に示すように、回動アーム１３６の基端側部分が回動可能に取り付けられている。すなわち、この回動アーム１３６は、基端側に設けられた支持孔１３８に支軸２９を挿通させている。この回動アーム１３６と第２の伝達ギヤ７１との間には、摩擦部材１３７が介在配設されている。すなわち、回動アーム１３６は、第２の伝達ギヤ７１の回転方向に追従する方向に回動操作される。第２の伝達ギヤ７１が図１６及び図１７中矢印Ｘ１方向の一方向に回転すると、回動アーム１３６は、図１６及び図１７中矢印Ｘ２方向の一方向側に回動される。また、第２の伝達ギヤ７１が図１６及び図１７中矢印Ｙ１方向の他方向に回転すると、回動アーム１３６は、図１６及び図１７中矢印Ｙ２方向の他方向側に回動される。
【００６９】
回動アーム１３６の先端側には、支軸７３を介して、第３の伝達ギヤ７２が回転可能に取り付けられている。この第３の伝達ギヤ７２は、第２の伝達ギヤ７１に噛合している。
【００７０】
そして、メカシャーシ１上には、このメカシャーシ１に植設された支軸２７を介して、ローディング動作伝達部材となるカムギヤ６１が回転可能に取り付けられている。このカムギヤ６１は、図１８に示すように、支軸２７が嵌合される支持孔１２９に対して同軸にギヤ部１２７及びフランジ部１３１が一体に形成されている。ギヤ部１２７は、所定の角度範囲に亘る第１の欠歯部１３０を有している。また、フランジ部１３１は、所定角度範囲に亘る欠損部を有している。フランジ部１３１のギヤ部１２７に臨む下面部には、第１の係合溝部１２８が形成されている。この第１の係合溝部１２８は、支持孔１２９回りの円弧状に形成され、欠損部の一方側の部分がこの欠損部に向けて開放され、欠損部の他方側の部分が閉塞端となされている。カムギヤ６１のギヤ部１２７には、カムシャーシ１に植設された支軸２８を介して、第４の伝達ギヤ６３が噛合している。この第４の伝達ギヤ６３には、回動アーム１３６が図１６、図１９、図２２及至図２５中矢印Ｙ２方向の他方向側に回動されたときに、第３の伝達ギヤ７２が噛合する。第３の伝達ギヤ７２が第４の伝達ギヤ６３に噛合している状態においては、第１の係合溝部１２８には、図１６、図１９、図２２及至図２５に示すように、第３の伝達ギヤ７２を支持している支軸７３の先端側が係合する。
【００７１】
カムギヤ６１は、第１の付勢部材となる捻りコイルバネ１５３により、第１の係合溝部１２８に係合している支軸７３がこの第１の係合溝部１２８の欠損部への開放端部より抜け出す方向の図５、図６及び図１６中矢印Ｇ方向に回動付勢されている。捻りコイルバネ１５３は、図１８に示すように、カムギヤ６１の下面部に形成された円環状の溝部１５４内に配設されている。
【００７２】
カムギヤ６１は、上面側の主面に、操作ピン６２が設けられている。この操作ピン６２は、メカシャーシ１上に回動可能に支持された第１のアーム部材である扇形状板７９に設けられたカムスリット８１に挿通係合している。この扇形状板７９は、扇の要に相当する位置に支持孔８０を有し、この支持孔８０に、上記メカシャーシ１上に植設された支柱２０の先端側の支軸部２６を挿通させて、回動可能に支持されている。カムスリット８１は、支持孔８０の近傍部より、扇の周縁の近傍部に亘って、ほぼ直線状に形成されている。また、この扇形状板７９は、ガイドスリット８２を有している。このガイドスリット８２は、支持孔８０回りの円弧状に形成されている。この扇形状板７９は、カムギヤ６１が回動することにより、上記操作ピン６２を介して回動操作される。
【００７３】
また、支軸部２６には、第２のアーム部材となるローディングアーム８３の基端側が回動可能に取り付けられている。このローディングアーム８３の基端側には、支軸部２６が挿通係合される支持孔８４が形成されている。このローディングアーム８３の中途部には、扇形状板７９のガイドスリット８２に挿通係合されるガイドピン８６が設けられている。このローディングアーム８３は、扇形状板７９に対して、支持孔８０回りのガイドスリット８２の角度範囲に亘って回動可能である。このローディングアーム８３の先端側には、被係合溝部１１１に接離可能に係合する係合部８７が設けられている。ローディングアーム８３は、このローディングアーム８３と扇形状板７９とに各アーム部を係止させた捻りコイルバネであるリミッタバネ８８により、扇形状板７９に対して係合部８７を前方側に振り出す方向の図５及び図６中矢印Ｆ方向に回動付勢されている。
【００７４】
ローディングアーム８３の基端側には、メカシャーシ１上に配設された第１の検出スイッチ７７を操作するためのスイッチ操作突起８５が設けられている。このスイッチ操作突起８５は、ローディングアーム８３が、図７中矢印Ｊ方向及び図８中矢印Ｌ方向の係合部８７を後方に回動したときに、第１の検出スイッチ７７を操作する。
【００７５】
そして、メカシャーシ１上には、チャッキング動作伝達部材となるスライダ７４が配設されている。このスライダ７４は、図２０及び図２１に示すように、ほぼ棒状の部材として形成されており、一対の支持スリット７５，７６を有している。このスライダ７４は、各支持スリット７５，７６に、メカシャーシ１上に植設された一対の支軸３１，３２を挿通係合させることにより、横方向に移動可能となっている。このスライダ７４は、上記回動アーム１３６が図１６、図１９、図２２及至図２５中矢印Ｘ２方向の一方向側に回動されたときに上記第３の伝達ギヤ７２が噛合するラックギヤ部１３４を有している。このスライダ７４は、ラックギヤ部１３４の延長上に、第２の欠歯部１３５を有している。さらに、スライダ７４は、ラックギヤ部１３４に沿う庇部を有し、この庇部のラックギヤ部１３４に臨む下面部には、第２の係合溝部１３３が形成されている。この第２の係合溝部１３３は、ラックギヤ部１３４に平行な直線状に形成され、カムギヤ６１に臨む一方側が開放され、他方側が閉塞端となされている。
【００７６】
第３の伝達ギヤ７２がラックギヤ部１３４に噛合している状態においては、第２の係合溝部１３３には、図２３及至図２５に示すように、第３の伝達ギヤ７２を支持している支軸７３の先端側が係合する。
【００７７】
スライダ７４は、このスライダ７４に設けられたバネ係止部１３２とメカシャーシ１上に突設されたバネ係止部３３との間に張架された引っ張りコイルバネ１２６により、図５、図６及び図１６中矢印Ｈ方向の第２の係合溝部１３３に係合している支軸７３がこの第２の係合溝部１３３の開放端部より抜け出す方向、すなわち、ラックギヤ部１３４を第２の欠歯部１３５の側に移動させる方向に移動付勢されている。
【００７８】
そして、このスライダ７４は、チャッキングアーム７に係合する第１の係合部となる一対の水平なカム突状１４５，１４６と、フレームに係合する第２の係合部となる係合凹部３０５とを有している。
【００７９】
スライダ７４は、後面部を、チャッキングアーム７の後板部６０の前面部に対向させている。このスライダ７４の後面部には、一対の水平なカム突状１４５，１４６が設けられている。これらカム突状１４５，１４６は、スライダ７４が引っ張りコイルバネ１２６の付勢力により移動された初期状態においては、後板部６０の前面部に植設された一対の倣いピン５６，５７の上方に位置してこれら倣いピン５６，５７を下方側に押し下げている。すなわち、上記スライダ７４は、初期位置においては、チャッキングアーム７を後板部６０がメカシャーシ１側に移動する方向の図１０中矢印Ｏ方向に回動させている。
【００８０】
各カム突状１４５，１４６は、スライダ７４が引っ張りコイルバネ１２６の付勢力に抗して図９中矢印Ｎ方向の一方側に移動操作されると、各倣いピン５６，５７に摺接しつつ、これら倣いピン５６，５７の上方位置より退避する。すると、チャッキングアーム７は、一対の引っ張りコイルバネ５２，５３の付勢力により、後板部６０をメカシャーシ１より離間させカートリッジホルダ４をメカシャーシ１側に移動させる図１１中矢印Ｒ方向に回動させる。
【００８１】
また、スライダ７４が引っ張りコイルバネ１２６の付勢力に抗して一方側に移動操作されると、図９に示すように、メカシャーシ１上に配設された第２の検出スイッチ７８が、このスライダ７４により操作される。
【００８２】
そして、スライダ７４が引っ張りコイルバネ１２６の付勢力に抗して一方側に移動操作されたとき、各カム突状１４５，１４６は、ラックギヤ部１３４に対する第２の欠歯部１３５側に相当する側である他方側の端部を、各倣いピン５６，５７に対向させている。これらカム突状１４５，１４６は、他方側の端部が、下方側に臨んだテーパ部１４７，１４８とされている。したがって、スライダ７４が他方側に移動されて初期位置に復帰されるときには、各カム突状１４５，１４６は、各倣いピン５６，５７に各テーパ部１４７，１４８を摺接させつつ、これら倣いピン５６，５７の上方側に進入して、これら倣いピン５６，５７を下方側に移動させる。そして、第２の係合部となる係合凹部３０５は、図２０に示すように、スライダ７４の上面部に形成されている。この係合凹部３０５は、スライダ７４が引っ張りコイルバネ１２６により付勢されている方向に向けて解放された溝部となされている。
【００８３】
係合凹部３０５の底面部は、この係合凹部３０５の解放された側に向けて徐々に下方側となる傾斜面部３１８に連続されている。また、係合凹部３０５の両側の内側壁面部は、この係合凹部３０５の解放された側に向けて徐々に拡幅された一対の導入壁部３１９に連続されている。
【００８４】
スライダ７４は、チャッキングアーム７を介してカートリッジホルダ４をメカシャーシ１側に移動させこのカートリッジホルダ４が保持しているディスクカートリッジ２２０，２２１を再生部に装着させたときには、係合凹部３０５をフレームに対して係合させることがない。
【００８５】
このスライダ７４は、チャッキングアーム７を介してカートリッジホルダ４をメカシャーシ１より離間する方向に移動させこのカートリッジホルダ４が保持しているディスクカートリッジ２２０，２２１を再生部より離脱させたときには、係合凹部３０５をフレームに係合させる。すなわち、カートリッジホルダ４がメカシャーシ１より離間する方向に移動操作されたとき、天板３より垂下された係合ピン３０２は、係合凹部３０５内に進入しており、下端部を係合凹部３０５の底面部に当接させている。
【００８６】
したがって、スライダ７４は、係合凹部３０５をフレームの係合ピン３０２に係合させたときには、カートリッジホルダ４に対するディスクカートリッジ２２０，２２１の挿入方向、すなわち、前後方向に亘ってメカシャーシ１のフレームに対する移動を規制する。
【００８７】
また、スライダ７４は、係合凹部３０５を係合ピン３０２に係合させたときには、チャッキングアーム７の他端側の当接部１５１をフレームの当接支持部４３に当接させており、この当接部１５１と共働して、メインフレーム２に対する接離方向、すなわち、上下方向にメカシャーシ１がフレームに対い移動することを規制する。
【００８８】
［３］記録及び／又は再生装置の動作
（３−１）初期状態
上述のように構成された本発明に係る記録及び／又は再生装置においては、初期状態においては、図６、図１０、図１２及び図１６に示すように、カートリッジホルダ４は、上方側に位置されて天板３に当接されている。チャッキングアーム７は、当接部１５１を当接支持部４３に当接させている。各ロックアーム４４，４４は、係合溝３０９，３０９を各係合杆３１２，３１２に係合させている。カートリッジ移動板５は、カートリッジホルダ４の前方側に位置し、トグルバネ１０７により、図６中矢印Ａ方向の前方側に付勢されている。係合棒１０８は、係合切り欠き部３０１に係合されている。
【００８９】
ホールド板６は、図１２中矢印Ｄ方向の上方側に付勢され、カートリッジ移動板５との間の間隔をディスクカートリッジ２２０，２２１の厚みに相当する間隔としている。ローディングアーム８３は、係合部８７を被係合溝部１１１内に進入させている。扇形状板７９は、カムギヤ６１により前方側に回動されている。第１及び第２の検出スイッチ７７，７８は、操作されていない。
【００９０】
カムギヤ６１は、捻りコイルバネ１５３により、図１６中矢印Ｇ方向に回動付勢されて、第１の欠歯部１３０に臨むギヤ部１２７の端部を第４の伝達ギヤ６３に圧接させている。支軸７３は、第１の係合溝部１２８に係合しており、第３の伝達ギヤ７２を第４の伝達ギヤ６３に噛合させている。スライダ７４は、引っ張りコイルバネ１２６により図１６中矢印Ｈ方向に移動付勢されている。
【００９１】
スライダ７４は、引っ張りコイルバネ１２６による付勢方向に移動されており、係合ピン３０２が係合凹部３０５に進入して係合している。
【００９２】
（３−２）ディスクカートリッジの挿入操作
カートリッジ移動板５とホールド板６との間にディスクカートリッジ２２０，２２１が挿入操作されると、図１３に示すように、まず、ホールド板６が下方側に回動され、図１４に示すように、ディスクカートリッジ２２０，２２１が前端部を後壁部１３９に当接させるまで挿入されると、各被係合凹部２１２，２１２に各保持突起１１７，１１７が嵌合してホールド板６が初期位置に復帰する。
【００９３】
そして、ディスクカートリッジ２２０，２２１が後方側に押圧操作されると、カートリッジ移動板５は、図７に示すように、トグルバネ１０７を変位させつつ後方側に移動され、リミッタバネ８８を変位させつつローディングアーム８３を回動させる。このとき、係合棒１０８は、係合切り欠き部３０１より後方側に抜け出し、この係合切り欠き部３０１に対する係合を解除する。ローディングアーム８３の回動により、スイッチ操作突起８５を介して第１の検出スイッチ７７が操作される。
【００９４】
（３−３）ディスクカートリッジの搬入動作
第１の検出スイッチ７７が操作されることにより、モータ６４の回転駆動が開始され、カムギヤ６１が捻りコイルバネ１５３により付勢されている図１９中矢印Ｘ３方向に回転操作される。このとき、回動アーム１３６は、第３の伝達ギヤ７２を第４の伝達ギヤ６３より離間させる方向の図１９中矢印Ｘ２方向に回動付勢されているが、支軸７３が第１の係合溝部１２８に係合していることにより回動が規制されている。
【００９５】
ローディングアーム８３は、扇形状板７９を介して、カムギヤ６１により後方側に回動操作され、カートリッジ移動板５を後方側に移動操作する。
【００９６】
このように、カートリッジ移動板５が後方側に移動操作されてディスクカートリッジ２２０，２２１が後方側に移送されるとき、シャッタ部材２０６，２１７は、前端部にシャッタ開蓋爪１０５が当接され、シャッタ閉蓋孔２０８にシャッタ閉蓋バネ１００の係合部１０２が係合する。この状態でディスクカートリッジ２２０，２２１が後方側に移送されることにより、シャッタ部材２０６，２１７は、前端部にシャッタ開蓋爪１０５を当接させた位置で停止されているため開蓋操作される。
【００９７】
カートリッジ移動板５は、図８に示すように、カートリッジホルダ４の後方側位置まで移動操作されると、トグルバネ１０７により後方側の図８中矢印Ｂ方向に移動付勢されるとともに、ディスクカートリッジ２２０，２２１をメカシャーシ１上に位置させる。このように、カートリッジ移動板５がカートリッジホルダ４の後方位置に移動されたとき、カムギヤ６１は、図２２に示すように、支軸７３の近傍に第１の係合溝部１２８の欠損部への開放端部を位置させている。
【００９８】
そして、カムギヤ６１がさらに回転されると、回動アーム１３６は、図２３に示すように、支軸７３がカムギヤ６１の欠損部に至り第１の係合溝部１２８より開放されるため、第２の伝達ギヤ７１に追従して図２３中矢印Ｘ２方向に回動され、第３の伝達ギヤ７２をスライダ７４のラックギヤ部１３４に噛合させる。
【００９９】
（３−４）ディスクカートリッジのチャッキング動作
モータ６４は、カートリッジ移動板５が後方側に移動された後、さらに回転駆動し、スライダ７４を、引っ張りコイルバネ１２６の付勢力に抗して図２３及び図２４中矢印Ｘ４方向に移動させる。このとき、支軸７３は、第２の係合溝部１３３に係合されており、第３の伝達ギヤ７２のラックギヤ部１３４よりの離間を規制している。
【０１００】
スライダ７４の引っ張りコイルバネ１２６の付勢力に抗しての移動により、カートリッジホルダ４は、チャッキングアーム７を図１１中矢印Ｒ方向に回動し、図１１中矢印Ｓ方向に移動して天板３より離間される。このチャッキングアーム７は、当接部１５１を当接支持部４３より離間させる。このとき、各ロックアーム４４，４４は、係合溝３０９，３０９の各係合杆３１２，３１２に対する係合を解除する。また、スライダ７４は、係合凹部３０５に対する係合ピン３０２の係合を解除させる。
【０１０１】
このとき、メカシャーシ１は、フロート支持された状態となる。また、このとき、ローディングアーム８３の係合部８７が被係合溝部１１１より抜け出され、ローディングアーム８３とカートリッジ移動板５との係合が解除される。
【０１０２】
そして、スライダ７４は、図９及び図２５に示すように、第２の欠歯部１３５を第３の伝達ギヤ７２に対向させる位置に至ると、第２の検出スイッチ７８を操作する。この第２の検出スイッチ７８が操作されることにより、モータ６４は停止される。スライダ７４は、引っ張りコイルバネ１２６の付勢力により、第２の欠歯部１３５に臨むラックギヤ部１３４の端部を第３の伝達ギヤ７２に圧接させている。このとき、カートリッジホルダ４に保持されたディスクカートリッジ２２０，２２１は、メカシャーシ１上に位置決めされて装着されており、ディスクテーブル１２及び光学ピックアップ装置１３を有する再生部により、情報信号の読み出しが可能な状態となる。
【０１０３】
（３−５）ディスクカートリッジのチャッキング解除動作
上述のように、ディスクカートリッジ２２０，２２１が装着された状態において、イジェクト動作を指示する操作がなされると、モータ６４は、上述したようなディスクローディング動作時の逆の方向に回転駆動する。スライダ７４は、引っ張りコイルバネ１２６の付勢力により第２の欠歯部１３５に臨むラックギヤ部１３４の端部を第３の伝達ギヤ７２に圧接させているので、この第３の伝達ギヤ７２が回転操作されることにより、この第３の伝達ギヤ７２に該ラックギヤ部１３４を噛合させて、引っ張りコイルバネ１２６の付勢力を受けて図２５及び図２４中矢印Ｙ４方向に移動操作される。スライダ７４は、移動操作されることにより、第２の検出スイッチ７８に対する操作を解除する。このとき、支軸７３は、第２の係合溝部１３３に係合されており、第３の伝達ギヤ７２のラックギヤ部１３４よりの離間を阻止している。
【０１０４】
そして、スライダ７４が移動されると、カートリッジホルダ４は、チャッキングアーム７が図１０中矢印Ｏ方向への回動により、図１０中矢印Ｐ方向に移動して天板３に当接される。このチャッキングアーム７は、当接部１５１を当接支持部４３に当接させる。各ロックアーム４４，４４は、係合溝３０９，３０９を各係合杆３１２，３１２に係合させる。また、スライダ７４は、係合凹部３０５に係合ピン３０２を進入させてこの係合ピン３０２に係合している。
【０１０５】
このとき、メカシャーシ１は、フロート支持による移動を阻止された状態となる。このとき、ローディングアーム８３の係合部８７が被係合溝部１１１に係合され、ローディングアーム８３とカートリッジ移動板５とが係合される。
【０１０６】
このように、カートリッジホルダ４が天板３に当接されたとき、支軸７３は、図２３に示すように、スライダ７４が移動されることにより第２の係合溝部１３３の開放端部に位置する。すると、回動アーム１３６は、図２２に示すように、第２の伝達ギヤ７１に追従して、図２２中矢印Ｙ２方向に回動して第３の伝達ギヤ７２を第４の伝達ギヤ６３に噛合させる位置に至る。
【０１０７】
（３−６）ディスクカートリッジの排出動作
第３の伝達ギヤ７２が第４の伝達ギヤ６３に噛合した状態でモータ６４が回転駆動することにより、カムギヤ６１は、支軸７３を第１の係合溝部１２８内に進入させる方向の図２２及び図１９中矢印Ｙ３方向に回転操作される。回動アーム１３６は、支軸７３が第１の係合溝部１２８に係合していることにより回動が規制されている。
【０１０８】
カムギヤ６１の回転により、ローディングアーム８３は、図６に示すように、扇形状板７９が回動されることによって、係合部８７を前方側となす方向に回動され、カートリッジ移動板５を前方側に移動させる。
【０１０９】
このようにカートリッジ移動板５が前方側に移動操作されてディスクカートリッジ２２０，２２１が前方側に移送されるとき、シャッタ部材２０６，２１７は、シャッタ閉蓋孔２０８にシャッタ閉蓋バネ１００の係合部１０２が係合されることにより、シャッタ閉蓋孔２０８に該係合部１０２を嵌入係合させた位置で停止されるため、閉蓋操作される。このシャッタ閉蓋バネ１００の係合部１０２は、シャッタ部材２０６，２１７が閉蓋された後、さらに、ディスクカートリッジ２２０，２２１が前方側に移送されることにより、該シャッタ閉蓋バネ１００の弾性変位によって、シャッタ閉蓋孔２０８より抜き取られる。
【０１１０】
ローディングアーム８３は、カートリッジ移動板５を、カートリッジホルダ４に対する前方側側まで移動させる。このとき、トグルバネ１０７は、カートリッジ移動板５を、図６中矢印Ａ方向の前方側に移動させる。このとき、係合棒１０８は、図６に示すように、係合切り欠き部３０１に係合する。
【０１１１】
なお、扇形状板７９が回動されるときに、ディスクカートリッジ２２０，２２１の前方側への排出が外力により阻止されてローディングアーム８３の回動が阻止された場合には、図７に示すように、リミッタバネ８８が変位することにより、扇形状板７９の回動が阻害されることを防止する。そして、ローディングアーム８３が初期位置まで回動されることにより、スイッチ操作突起８５による第１の検出スイッチ７７に対する操作が解除される。
【０１１２】
そして、カムギヤ６１は、図１６に示すように、捻りコイルバネ１５３の付勢力により第１の欠歯部１３０に臨むギヤ部１２７の端部を第４の伝達ギヤ６３に圧接させた状態にて停止される。このとき、支軸７３は、第１の係合溝部１２８に係合しており、第３の伝達ギヤ７２を第４の伝達ギヤ６３に噛合させている。スライダ７４は、引っ張りコイルバネ１２６により図１６中矢印Ｈ方向に移動付勢されている。
【０１１３】
ディスクカートリッジ２２０，２２１は、図１４に示すように、カートリッジ移動板５とホールド板６との間に、前端部を後壁部１３９に当接させるまで挿入されており、各被係合凹部２１２，２１２に各保持突起１１７，１１７を係合させている。そして、このディスクカートリッジ２２０，２２１を後方側に引き抜くと、図１３に示すように、このディスクカートリッジ２２０，２２１は、ホールド板６が下方側に回動させつつ、カートリッジ移動板５とホールド板６との間より抜き取られる。
【０１１４】
このようにして、イジェクト動作を完了した記録及び／又は再生装置は、初期状態に復帰する。
【図面の簡単な説明】
【０１１５】
【図１】本発明に係る記録及び／又は再生装置に用いられる記録再生型のディスクカートリッジを示す斜視図である。
【図２】本発明に係る記録及び／又は再生装置に用いられる再生専用型のディスクカートリッジ示す斜視図である。
【図３】記録再生型のディスクカートリッジを底面側より臨んだ斜視図である。
【図４】再生専用型のディスクカートリッジを底面側より臨んだ斜視図である。
【図５】本発明に係る記録及び／又は再生装置の要部の構成を示す分解斜視図である。
【図６】記録及び／又は再生装置を示す平面図である。
【図７】記録及び／又は再生装置にディスクカートリッジの挿入操作が行われた状態を示す平面図である。
【図８】記録及び／又は再生装置にディスクカートリッジが搬送され、若しくは排出操作の開始前の状態を示す平面図である。
【図９】ディスクカートリッジのチャッキング操作が完了した状態を示す記録及び／又は再生装置の平面図である。
【図１０】ディスクカートリッジのチャッキング解除操作が完了したときの状態を示す記録及び／又は再生装置の側面図である。
【図１１】ディスクカートリッジのチャッキング操作が完了したときの状態を示す記録及び／又は再生装置の側面図である。
【図１２】記録及び／又は再生装置を構成するカートリッジホルダを示す縦断面図である。
【図１３】カートリッジホルダにディスクカートリッジが挿入操作される途中の状態を示す縦断面図である。
【図１４】カートリッジホルダにディスクカートリッジが挿入操作された状態を示す縦断面図である。
【図１５】カートリッジホルダにディスクカートリッジが誤った方向で挿入操作された状態を示す縦断面図である。
【図１６】本発明に係る記録及び／又は再生装置を構成するローディング動作伝達部材及びチャッキング動作伝達部材を示す拡大平面図である。
【図１７】ローディング動作伝達部材及びチャッキング動作伝達部材を選択的に移動操作するための回動アーム及び伝達ギヤの構成を示す下面側より臨んだ斜視図である。
【図１８】ローディング動作伝達部材を示す下面側より臨んだ斜視図である。
【図１９】ローディング動作伝達部材及び上記チャッキング動作伝達部材のディスク搬入操作を開始した状態、若しくはディスク排出操作の途中の状態を示す平面図である。
【図２０】チャッキング動作伝達部材を示す斜視図である。
【図２１】チャッキング動作伝達部材を示す下面側より臨んだ斜視図である。
【図２２】ローディング動作伝達部材及び上記チャッキング動作伝達部材のディスク搬入操作が略々完了した状態、または、ディスク排出操作が開始された状態を示す拡大平面図である。
【図２３】ローディング動作伝達部材及びチャッキング動作伝達部材のディスク搬入操作の完了後ディスクチャッキング操作を開始する状態、若しくはディスクチャッキング解除操作を完了した状態を示す平面図である。
【図２４】ローディング動作伝達部材及びチャッキング動作伝達部材のディスクチャッキング操作を開始した状態、若しくはディスクチャッキング解除操作の途中の状態を示す平面図である。
【図２５】ローディング動作伝達部材及びチャッキング動作伝達部材のディスクチャッキング操作を完了した状態を示す平面図である。
【符号の説明】
【０１１６】
１  メカシャーシ、  ２  メインフレーム、  ３  天板、  ４  カートリッジホルダ、  ７  チャッキングアーム、  １２  ディスクテーブル、  １３  光学ピックアップ装置、  ４４  ロックアーム、  ７４  チャッキング動作伝達部材、  １０８  係合棒、  ２２０  記録及び再生型のディスクカートリッジ、  ２２１  再生専用型のディスクカートリッジ
【図１】
0003714359.tif 000002
【図２】
0003714359.tif 000003
【図３】
0003714359.tif 000004
【図４】
0003714359.tif 000005
【図５】
0003714359.tif 000006
【図６】
0003714359.tif 000007
【図７】
0003714359.tif 000008
【図８】
0003714359.tif 000009
【図９】
0003714359.tif 000010
【図１０】
0003714359.tif 000011
【図１１】
0003714359.tif 000012
【図１２】
0003714359.tif 000013
【図１３】
0003714359.tif 000014
【図１４】
0003714359.tif 000015
【図１５】
0003714359.tif 000016
【図１６】
0003714359.tif 000017
【図１７】
0003714359.tif 000018
【図１８】
0003714359.tif 000019
【図１９】
0003714359.tif 000020
【図２０】
0003714359.tif 000021
【図２１】
0003714359.tif 000022
【図２２】
0003714359.tif 000023
【図２３】
0003714359.tif 000024
【図２４】
0003714359.tif 000025
【図２５】
0003714359.tif 000026